(57)【要約】      （修正有）【課題】左右方向への吹出風量が十分な量になるようにする空気調和機を提供する。【解決手段】室内の壁面に取り付けられる筐体１と、筐体１の正面に設けられた前面パネル５と、空気吸込口と、空気吹出口７と、空気吸込口から空気吹出口７までの空気流通路に沿って配置された熱交換器および送風ファンとを備えた空気調和機において、空気吹出口７に上下方向の風向き角度を決める上下風向板９を設け、空気吹出口７における上下風向板９の左側に左方向の風向き角度を決める左側左右風向板１０を設け、空気吹出口７における上下風向板９の右側に右方向の風向き角度を決める右側左右風向板１１を設けた。【選択図】図１
2016044835.tif 000002
【特許請求の範囲】
【請求項１】
筐体と、該筐体の正面に設けられた前面パネルと、空気吸込口と、空気吹出口と、前記空気吸込口から前記空気吹出口までの空気流通路に沿って配置された熱交換器および送風ファンとを備えた空気調和機において、
前記空気吹出口に上下方向の風向き角度を決める上下風向板を設け、前記空気吹出口における前記上下風向板の左側に左方向の風向き角度を決める左側左右風向板を設け、前記空気吹出口における前記上下風向板の右側に右方向の風向き角度を決める右側左右風向板を設けたことを特徴とする空気調和機。
【請求項２】
請求項１に記載の空気調和機において、
前記上下風向板の奥に左右方向の風向き角度を決める中央左右風向板を設けたことを特徴とする空気調和機。
【請求項３】
請求項１に記載の空気調和機において、
前記上下風向板は前記空気吹出口の左右方向の８０％の領域を占めるよう配置され、前記左側左右風向板は前記空気吹出口の左右方向の１０％を占めるよう配置され、前記右側左右風向板は前記空気吹出口の左右方向の領域の１０％を占めるよう配置されていることを特徴とする空気調和機。
【発明の詳細な説明】
【技術分野】
【０００１】
本発明は、室内の壁面に取り付けられる筐体と、該筐体の正面に設けられた前面パネルと、空気吸込口と、空気吹出口と、前記空気吸込口から前記空気吹出口までの空気流通路に沿って配置された熱交換器および送風ファンとを備えた空気調和機に関する。
【背景技術】
【０００２】
従来から、空気調和機において、上下方向の風向き角度を決める上下風向板を設けるとともに、左右方向の風向き角度を決める左右風向板を設けることが提案されている（特許文献１）。この空気調和機では、上下風向板を水平方向に中央、左側、右側に３分割し、それぞれの上下風向板の奥側に左右風向板を配置している。そして、例えば、吹出空気を中央部分に集中させるときは、中央の上下風向板を開き、左右の上下風向板を閉じている。
【先行技術文献】
【特許文献】
【０００３】
【特許文献１】特開２００１−１５３４２８号公報
【発明の概要】
【発明が解決しようとする課題】
【０００４】
しかし、この空気調和機では、吹出空気を例えば右方向に集中させるときは、右側の上下風向板を開き、中央と左側の上下風向板を閉じる。さらに、吹出空気を右方向に広げるには、左右風向板を右向きに設定することになるが、その左右風向板は上下風向板の奥側に配置されているので、その左右風向板を右向きにしても、右側の上下風向板によって風流が妨げられて、右側への吹出風量が十分な量ではなくなる。
【０００５】
本発明の目的は、左方向あるいは右方向へ十分な吹出空気の広がりと風量が得られるようにした空気調和機を提供することである。
【課題を解決するための手段】
【０００６】
上記目的を達成するために、請求項１にかかる発明は、室内の壁面に取り付けられる筐体と、該筐体の正面に設けられた前面パネルと、空気吸込口と、空気吹出口と、前記空気吸込口から前記空気吹出口までの空気流通路に沿って配置された熱交換器および送風ファンとを備えた空気調和機において、前記空気吹出口における左右中央に上下方向の風向き角度を決める上下風向板を設け、前記空気吹出口における前記上下風向板の左側に左方向の風向き角度を決める左側左右風向板を設け、前記空気吹出口における前記上下風向板の右側に右方向の風向き角度を決める右側左右風向板を設けたことを特徴とする。
【０００７】
請求項２にかかる発明は、請求項１に記載の空気調和機において、前記上下風向板の奥に左右方向の風向き角度を決める中央左右風向板を設けたことを特徴とする。
【０００８】
請求項３にかかる発明は、請求項１に記載の空気調和機において、前記上下風向板は前記空気吹出口の左右方向の８０％の領域を占めるよう配置され、前記左側左右風向板は前記空気吹出口の左右方向の１０％を占めるよう配置され、前記右側左右風向板は前記空気吹出口の左右方向の領域の１０％を占めるよう配置されていることを特徴とする。
【発明の効果】
【０００９】
本発明によれば、空気吹出口に上下方向の風向き角度を決める上下風向板を設け、前記空気吹出口における前記上下風向板の左側に左方向の風向き角度を決める左側左右風向板を設け、前記空気吹出口における前記上下風向板の右側に右方向の風向き角度を決める右側左右風向板を設けたので、左側左右風向板や右側左右風向板で整流される風流は上下風向板の影響を受けることがない。このため、左方向や右方向に対して十分な吹出空気の広がりと風量の風流を供給することができる。
【図面の簡単な説明】
【００１０】
【図１】本発明の実施例の空気調和機の動作停止状態を示す斜視図である。
【図２】本実施例の空気調和機の断面図である。
【図３】本実施例の空気調和機の風向き角度を正面と右側の方向に設定した状態の斜視図である。
【図４】本実施例の空気調和機の風向き角度を正面および左右の方向に設定した状態の部分説明図である。
【発明を実施するための形態】
【００１１】
図１、図２に本発明の１つの実施例の空気調和機を示す。１は室内の壁面に取り付けられる筐体であり、内部に熱交換器２および送風ファン３を備える。４は筐体１の上部に配置される上部フレーム、５は筐体１の正面に設けられる前面パネル、６は空気吸込口、７は空気吹出口である。熱交換器２および送風ファン３は、空気吸込口６から空気吹出口７までの空気流通路に沿って配置されている。
【００１２】
空気吹出口７には、その中央の奥部に複数の中央左右風向板８が配置され、その中央左右風向板８の前面には１枚の上下風向板９が配置されている。さらに、上下風向板９の左側には複数の左側左右風向板１０が配置され、右側には複数の右側左右風向板１１が配置されている。中央左右風向板８と上下風向板９は、空気吹出口７の左右方向のほぼ８０％の領域を占めるよう配置され、左側左右風向板１０と右側左右風向板１１は、それぞれ、空気吹出口７の左右方向のほぼ１０％を占めるよう配置されている。
【００１３】
中央左右風向板８は、奥の軸８ａを支点に左右方向に回動可能であり、その回動位置によって空気吹出口７から吹き出される空気の風向き角度の左右方向が決められる。上下風向板９は、奥の軸９ａを支点にして上下方向に回動可能であり、その回動位置によって空気吹出口７から吹き出される空気の風向き角度の上下方向あるいは風の吹出の停止が決められる。左側左右風向板１０は、上下の軸１０ａ，１０ｂを支点に左右方向に回動可能であり、その回動位置によって空気吹出口７から吹き出される空気の風向き角度の左右方向が決められる。右側左右風向板１１は、上下の軸１１ａ，１１ｂを支点に左右方向に回動可能であり、その回動位置によって空気吹出口７から吹き出される空気の風向き角度の左右方向が決められる。
【００１４】
さて、本実施例では、空気調和機が動作停止状態にあるときは、図１に示すように、上下風向板９が空気吹出口７の左右方向の領域の８０％を閉じており、中央左右風向板８と左側左右風向板１０と右側左右風向板１１は正面を向いている。
【００１５】
次に、例えば、吹出の風向き角度を、左側と中央は正面方向に設定し、右側は右方向に設定する場合は、図３に示すように、中央左右風向板８と左側左右風向板１０を正面に向け、上下風向板９を若干下に向けるよう開き、右側左右風向板１１を右方向に向ける。これにより、空気吹出口７から吹き出される空気は、各風向板８〜１１によってそれぞれ整流される。このとき、右方向に整流される空気流は、従来例と異なり、上下風向板８の影響をうけることなく、右側左右風向板１１のみで整流されるので、所望量の風を右方向に供給することができ、しかもその気流の右側範囲が拡大される。
【００１６】
次に、風向きを全範囲に設定する場合は、図４に示すように、中央左右風向板８を正面に向け、上下風向板９を若干下に向け、左側左右風向板１０を左方向に向け、右縦側風向板１１を右方向に向ける。これにより、空気吹出口７から吹き出される空気は、各風向板８〜１１によってそれぞれ整流され、特に左右方向へは所望の風量で広い範囲にわたって供給される。
【符号の説明】
【００１７】
１：筐体、２：熱交換器、３：送風ファン、４：上部フレーム、５：前面パネル、６：空気吸込口、７：空気吹出口、８：中央左右風向板、９：上下風向板、１０：左側左右風向板、１１：右側左右風向板
【図１】
2016044835.tif 000003
【図２】
2016044835.tif 000004
【図３】
2016044835.tif 000005
【図４】
2016044835.tif 000006